(57)【特許請求の範囲】
【請求項１】
信号データレート変更の段階の間に送信機（２）と受信機（３）の間の信号の送信を制御するための方法であって、ｉ）第１のステップであって、その間に、前記変更が要求されると、前記送信機（２）および受信機（３）に移行段階の開始が通知される、第１のステップと、ｉｉ）第２のステップであって、その間に、前記送信機（２）が前記信号を、Ｎ≧１としてＮ回、選択された長さを有する同一信号部分で再送し、前記受信機（３）が、前記Ｎ個の再送され、連続的に受信された同一信号部分を格納し、それらを互いに結合して結合信号部分を作成し、前記結合信号部分をＮおよび前記信号部分の長さに応じた補助データレートで一時的に出力し、補助データレートが変更前の信号データレートと異なる、第２のステップと、ｉｉｉ）第３のステップであって、その間に、前記信号データレート変更が終了すると、前記送信機（２）および受信機（３）に前記移行段階の終了が通知される、第３のステップと
を含む、方法。
【請求項２】
前記Ｎ個の再送された同一信号部分の各信号部分が、再送の信頼度を表す重み付け係数と乗算されて重み付き信号部分が生成され、前記Ｎ個の重み付き同一信号部分が合わせて加算されて前記結合信号部分が作成される、請求項１に記載の方法。
【請求項３】
前記第１のステップにおいて、前記送信機（２）および受信機（３）は、保護期間が、対応する変更要求を受け取った後、経過すると、移行段階の開始を通知される、請求項１または２に記載の方法。
【請求項４】
前記第２のステップにおいて、前記移行段階がｊ個（ｊは２以上）の連続する副段階ＳＰｊに分割され、そのそれぞれの間に、前記送信機（２）が前記信号を、Ｎｊ≧１としてＮｊ回、選択された長さＬｊを有する同一信号部分で再送し、前記受信機（３）が、前記Ｎｊ個の再送され、連続的に受信された同一信号部分を格納し、それらを互いに結合して結合信号部分を作成し、前記結合信号部分をＮｊおよび前記信号部分の長さＬｊに応じた補助データレートＲａｊで一時的に出力するようにする、請求項１から３のいずれか一項に記載の方法。
【請求項５】
前記第２のステップにおいて、信号データレート変更が、第１のデータレートを前記第１のデータレートより大きい第２のデータレートに変更することからなる場合は、前記補助データレートが前記第１のデータレートと第２のデータレートの間にある、請求項１から４のいずれか一項に記載の方法。
【請求項６】
第２のステップにおいて、信号データレート変更が、第１のデータレートを前記第１のデータレートより小さい第２のデータレートに変更することからなる場合は、前記補助データレートが前記第２のデータレートより小さい、請求項１から５のいずれか一項に記載の方法。
【請求項７】
処理手段によって実行されると信号データレート変更の段階の間に送信機（２）と受信機（３）の間の信号の送信を制御するために請求項１から６のいずれか一項に記載の方法を行うように構成される命令の組を備える、コンピュータプログラム。
【請求項８】
送信機（２）を装備するように意図された装置（４）であって、前記送信機（２）による受信機（３）への信号の送信中に、要求された信号データレート変更に続いてアクティブ化された後に、移行段階の開始を通知され、前記信号を、Ｎ≧１としてＮ回、選択された長さを有する同一信号部分で再作成することで、これらのＮ個の同一信号部分が、前記送信機（２）によって前記受信機（３）に連続的に送信され、前記受信機（３）によって互いに結合されて結合信号部分を作成して、前記結合信号部分をＮおよび前記信号部分の長さに応じた補助データレートで一時的に出力し、補助データレートが変更前の信号データレートと異なるようにし、前記信号データ変更が終了したときに前記移行段階の終了を通知されるように構成される、装置（４）。
【請求項９】
受信機（３）を装備するように意図された装置（５）であって、送信機（２）による前記受信機（３）への信号の送信中に、要求された信号データレート変更に続いてアクティブ化された後に、移行段階の開始を通知され、前記受信機（３）により連続的に受信された、選択された長さを有する、前記信号のＮ個の再送された同一信号部分を格納して、それらを互いに結合して結合信号部分を作成して、前記結合信号部分をＮおよび前記信号部分の長さに応じた補助データレートで一時的に出力し、補助データレートが変更前の信号データレートと異なり、前記信号データ変更が終了したときに前記移行段階の終了を通知されるように構成される、装置（５）。
【請求項１０】
請求項８に記載の装置（４）を含む送信機（２）および請求項９に記載の装置（５）を含む受信機（３）を備える、トランシーバ（１）。
【発明の詳細な説明】
【技術分野】
【０００１】
本発明は通信ネットワークを介した信号送信に関し、より詳細には、信号送信中の信号データレート変更に関する。
【背景技術】
【０００２】
最新世代のトランシーバ（すなわち、送信機および受信機を備える通信機器）は、信号の変調形式、またはコーディングレート、あるいはシンボルレートのいずれかを変更することによって複数のデータレートをサポートすることができる。これにより、トランシーバは、２つの信号送信または信号受信の間だけではく、信号送信中または信号受信中にも、あるデータレートから別のデータレートに切り換えることができる。
【０００３】
当業者には知られているように、後者の場合は、トランシーバが、それ自体をその場で、信号データを一切失うことなく適応させる必要があり、これは、ＢＥＲ（ビット誤り率）が所与の閾値より低く維持されなければならないことを意味する。そのような適応では、受信機内のデジタル信号処理（ＤＳＰ）ソフトウェアブロックのいくつかを更新する必要があり、安定したＢＥＲ性能で十分に収束するまでに移行時間がかかる。
【０００４】
例えば、シンボルレートの変更には、偏波多重分離および等化（例えば、ＭＭＡ（マルチモジュラスアルゴリズム）を使用する）などの、ＤＳＰブロックの更新、フレームの整列および位相の同期が必要であり、そのような移行は比較的長い収束時間を要する。ＭＭＡアルゴリズムは、例えば、確率的勾配法を実装する。
【０００５】
したがって、移行段階の間、すなわち、収束に達する前にはＢＥＲ性能が低下および変動する可能性があるが、これらの短所を克服するために知られた解決策はない。
【発明の概要】
【発明が解決しようとする課題】
【０００６】
本発明の目的は、例えばデータレート変更の間に準備されるマージンを削減できるように、移行段階の間のトランシーバの信頼性を高めて、この状況を改善することである。
【課題を解決するための手段】
【０００７】
第１の実施形態では、ある方法が、信号データレート変更の段階の間に送信機と受信機の間の信号の送信を制御するように意図される。この方法は下記のステップを含む：
−  第１のステップであって、その間に、変更が要求されると、送信機および受信機に移行段階の開始が通知される、第１のステップ。
−  第２のステップであって、その間に、送信機が信号を、Ｎ≧１としてＮ回、選択された長さを有する同一信号部分で再送し、受信機が、これらＮ個の再送されて連続的に受信された同一信号部分を格納し、それらを互いに結合して結合信号部分を作成し、この結合信号部分をＮおよび信号部分の長さに応じた補助データレートで一時的に出力する、第２のステップ。
−  第３のステップであって、その間に、信号データレート変更が終了すると、送信機および受信機に移行段階の終了が通知される、第３のステップ。
【０００８】
この方法は、個別または組み合わせて考慮される追加の特徴を含んでもよく、それらは下記のとおりである：
−  Ｎ個の再送された同一信号部分の各信号部分が、再送の信頼度を表す重み付け係数と乗算されて重み付き信号部分が生成されてもよく、Ｎ個の重み付き同一信号部分が合わせて加算されて結合信号部分が作成されてもよい。
【０００９】
−  第１のステップにおいて、送信機および受信機は、保護期間（なくてもよい）が、対応する変更要求を受け取った後、経過すると、移行段階の開始を通知されてもよい。
【００１０】
−  第２のステップにおいて、移行段階がｊ個（ｊは２以上）の連続する副段階ＳＰｊに分割されてもよく、そのそれぞれの間に、送信機が信号を、Ｎｊ≧１としてＮｊ回、選択された長さＬｊを有する同一信号部分で再送し、受信機が、これらＮｊ個の再送されて連続的に受信された同一信号部分を格納し、それらを互いに結合して結合信号部分を作成し、これらの結合信号部分をＮｊおよび信号部分の長さＬｊに応じた補助データレートＲａｊで一時的に出力するようにしてもよい。
【００１１】
−  第２のステップにおいて、信号データレート変更が、第１のデータレートを第１のデータレートより大きい第２のデータレートに変更することからなる場合は、補助データレートは第１のデータレートと第２のデータレートの間にあってもよい。
【００１２】
−  第２のステップにおいて、信号データレート変更が、第１のデータレートを第１のデータレートより小さい第２のデータレートに変更することからなる場合は、補助データレートは第２のデータレートより小さくてもよい。
【００１３】
第２の実施形態では、コンピュータプログラム製品が命令の組を備え、この命令は、処理手段によって実行されると信号データレート変更の段階の間に送信機と受信機の間の信号の送信を制御するために前述の方法を行うように構成される。
【００１４】
第３の実施形態では、第１の装置が送信機を装備するように意図され、かつ、この送信機によるある受信機への信号の送信中に、要求された信号データレート変更に続いてアクティブ化された後に、前記信号を、Ｎ≧１としてＮ回、選択された長さを有する同一信号部分で再作成することで、これらのＮ個の同一信号部分が、送信機によって受信機に連続的に送信され、互いに結合されて結合信号部分を作成し、その結合信号部分をＮおよび信号部分の長さに応じた補助データレートで一時的に出力するように構成される。
【００１５】
第４の実施形態では、第２の装置が受信機を装備するように意図され、かつ、ある送信機によるこの受信機への信号の送信中に、要求された信号データレート変更に続いてアクティブ化された後に、この受信機により連続的に受信された、選択された長さを有する、この信号のＮ個の再送された同一信号部分を格納して、それらを互いに結合して結合信号部分を作成して、その結合信号部分をＮおよび信号部分の長さに応じた補助データレートで一時的に出力するように構成される。
【００１６】
第５の実施形態では、トランシーバが、前述した第１の装置を含む送信機および、前述した第２の装置を含む受信機を備える。
【００１７】
次に、本発明の一実施形態によるいくつかの方法および装置の実施形態について、添付図面を参照しながら単に例として説明する。
【図面の簡単な説明】
【００１８】
【図１】通信ネットワークに接続された、本発明による第１および第２の装置の実施形態の例を含む２つのトランシーバの機能的概略を示す図である。
【図２】単一の補助データレートに関連するデータレート変更中の、トランシーバのデータレートの時間的な進展の第１の例を概略的に示す図である。
【図３】単一の補助データレートに関連するデータレート変更中の、トランシーバのデータレートの時間的な進展の第２の例を概略的に示す図である。
【図４】２つの異なる補助データレートに関連するデータレート変更中の、トランシーバのデータレートの時間的な進展の第３の例を概略的に示す図である。
【図５】２つの異なる補助データレートに関連するデータレート変更中の、トランシーバのデータレートの時間的な進展の第４の例を概略的に示す図である。
【発明を実施するための形態】
【００１９】
以下に、信号データレート変更の段階の間に送信機２と受信機３の間での信号の送信を制御するように意図された方法が、特に開示される。
【００２０】
下記の説明および、図１に示されるように、信号送信に関連する送信機２および受信機３は、それぞれ第１のトランシーバ１１および第２のトランシーバ１２を装備し、その両方が通信ネットワーク１１（任意のタイプ（無線または有線））に接続されていることが考慮される。ただし、これらは、双方向または単方向の通信機能を提供する他の任意のタイプの電子機器の一部とすることもできる。
【００２１】
したがって、図１に示されるように、各トランシーバ１ｉ（ｉ＝１または２）は送信機２および受信機３を備える。
【００２２】
各送信機２は、ＤＳＰソフトウェアブロック（図示せず）を備え、ＤＳＰソフトウェアブロックは、選択された変調形式、選択されたコーディングレートおよび選択されたシンボルレートで信号を作成するように構成され、作成したこれらの信号を通信ネットワーク１１に送ることができる。
【００２３】
各受信機３は通信ネットワーク１１を介して送信された信号を受信することができ、ＤＳＰソフトウェアブロックの第１のグループ６および第２のグループ７を備え、これらは、受信された信号を、選択された変調形式、選択されたコーディングレートおよび選択されたシンボルレートに応じて処理するように構成される。ＤＳＰソフトウェアブロックの第１のグループ６は、波長分散推定、クロック回復、偏波多重分離および等化、ならびにキャリア周波数およびキャリア位相の推定を行うように構成される。ＤＳＰソフトウェアブロックの第２のグループ７は、信号シンボルの検出および復号を行うように構成される。
【００２４】
前述したように、本発明は特に、信号データレート変更の段階の間に、送信機２（この例では第１のトランシーバ１１）と受信機３（この例では第２のトランシーバ１２）の間の信号の送信を制御するように意図された方法を提案する。
【００２５】
この方法は第１、第２、および第３のステップを含む。
【００２６】
この方法の第１のステップは、ある信号が第１のデータレートＲ１で送信されている間にその信号のデータレート変更が要求された時刻ｔ１に開始される。データレート変更の要求は制御プレーンによって行われ、送信機２および受信機３にこの決定について通知することを目的とする。制御プレーンは、変更のトリガをローカルコントローラに依存してもよい。
【００２７】
この第１のステップの間に、（要求された変更が関係する）信号の送信機２および、この信号の受信機３は、時刻ｔ２に移行段階の開始を通知される。時刻ｔ２でのこの通知の送信は、ローカルコントローラによって、または制御プレーンによって直接、トリガされる。
【００２８】
本明細書で「移行段階」は、送信機２または受信機３が、変更段階の間、安定したＢＥＲ性能で十分な収束に到達するために必要な期間を意味する。そのような期間は、要求された変更のタイプによって異なる。
【００２９】
この通知は、専用メッセージまたは、別の目的に使用されるメッセージを使用して送信されてもよく、特に、変調形式、および／またはチャネル符号化、および／またはシンボルレート、および／またはマルチキャリア送信での（サブ）キャリアの数の変更を通知してもよい。
【００３０】
時刻ｔ２とｔ１の間の時間差δ（図２および４を参照）またはδ＋Δ（図３および５を参照）は、好ましくは予め定められる。これは少なくとも、送信機２と受信機３の両方が、それぞれの第１の装置４および第２の装置５（下記で説明する）をアクティブ化して移行段階の間の送信または受信に備えるために必要な、第１の保護期間（δ）に相当する。下記にΔの定義を示す。したがって、送信機２および受信機３は、、所定の保護期間が、対応する変更要求を受け取った後、経過すると、移行段階の開始を表す通知が送信機２と受信機３の両方に送信される。
【００３１】
方法の第２のステップにおいて、信号の送信機２は信号を、Ｎ≧１としてＮ回、選択された長さＬを有する同一信号部分ｓｎ（ｎ＝１からＮ）で再送し、関係する受信機３が、これらＮ個の再送されて連続的に受信された同一信号部分ｓｎを格納し、それらを互いに結合して結合信号部分Ｓを作成する。したがって、この受信機３は結合信号部分Ｓを、Ｎおよび信号部分の長さＬに応じた補助データレートＲａで一時的に出力する。
【００３２】
長さＬの信号部分ｓｎが、選択された実装に応じて、シンボルレベルまたはビットレベルで定められてもよいことに留意することが重要である。
【００３３】
例えば、Ｎは１または２に等しくてもよく、Ｌはコードワード長の４０％または５０％に等しくてもよい。ただし、状況および／または移行段階中の所望のＢＥＲ性能に応じて他の値が選択されてもよい。一般的には、ＢＥＲ性能は再送の回数Ｎの増加および／または信号部分の長さＬの増加につれて実質的に増加するが、それと引き替えに補助データレートＲａが低下する。
【００３４】
この第２のステップは、送信機２を装備する第１の装置４および受信機３を装備する第２の装置５によって実装されてもよい。これらの第１の装置４および第２の装置５は、前述した保護期間δまたはδ＋Δの間（すなわちｔ１とｔ２の間）にそれぞれ送信機２および受信機３によってアクティブ化される。
【００３５】
第１の装置４は、送信機２によってアクティブ化された後に、送信されるべき信号を、Ｎ≧１としてＮ回、選択された長さＬを有する同一信号部分ｓｎで再作成することで、これらＮ個の同一信号部分ｓｎが、送信機２によって関係する受信機３に連続的に送信され、互いに結合されて結合信号部分Ｓを生成し、結合信号部分ＳをＮおよび信号部分の長さＬに応じた補助データレートＲａで一時的に出力するように構成される。
【００３６】
そのような第１の装置４は、好ましくは少なくとも部分的には、選択された実装に応じてシンボルレベルまたはビットレベルで動作するソフトウェアモジュールにより作られる。ただし、この装置は、例えばＦＰＧＡまたはＡＳＩＣを使用してシンボルレベルまたはビットレベルで動作する、ハードウェアモジュールとソフトウェアモジュールの組合せで作られることもできる。ソフトウェアモジュールで作られる場合には、おそらくダウンロードされた後にメモリ内に記憶されるか、または任意のコンピュータソフトウェア製品内に格納されることができる。
【００３７】
第２の装置５は、受信機３によってアクティブ化された後に、Ｎ個の再送された信号の同一信号部分ｓｎ（送信機２によって作成され、受信機３によって連続的に受信される）を格納して、それらを互いに結合して結合信号部分Ｓを作成し、結合信号部分ＳをＮおよび信号部分の長さＬに応じた補助データレートＲａで一時的に出力するように構成される。
【００３８】
そのような第２の装置５は、好ましくは少なくとも部分的には、選択された実装に応じてシンボルレベルまたはビットレベルで動作するソフトウェアモジュールにより作られる。ただし、この装置は、例えばＦＰＧＡまたはＡＳＩＣを使用してシンボルレベルまたはビットレベルで動作する、ハードウェアモジュールとソフトウェアモジュールの組合せで作られることもできる。ソフトウェアモジュールで作られる場合には、おそらくダウンロードされた後にメモリ内に記憶されるか、または任意のコンピュータソフトウェア製品内に格納されることができる。
【００３９】
シンボルレベルの実装は、ビットレベルの実装に比べると複雑ではない。その理由は、再送される同一信号部分ｓｎを結合する前に復号する必要がないからである。
【００４０】
例えば、図１に示されるように、第２の装置５はそれぞれ、第１の機能モジュール８、Ｍ個の第２の機能モジュール９ｍ（ｍ＝１からＭで、ＭはＮの取り得る最大値以上である）、および第３の機能モジュール１０を備えてもよい。Ｍ個の第２の機能モジュール９ｍはＭ個のバッファを画定し、連続的に送信および受信されたＮ個の同一信号部分ｓｎは、結合される前に、このバッファのうちＮ個に一時的に格納される。第１の機能モジュール８はスイッチを画定し、このスイッチは連続的に受信されるＮ個の同一信号部分ｓｎをＮ個のバッファの９１から９Ｎへ切り換えるように構成される。第３の機能モジュール１０はコンバイナを画定し、このコンバイナは、Ｎ個のバッファ９１から０Ｎに一時的に格納されたＮ個の同一信号部分ｓｎを結合して、Ｎおよび信号部分の長さＬに応じた補助データレートＲａを有する結合信号部分Ｓを作成するように構成され、この結合信号部分ＳはＤＳＰソフトウェアブロックの第２のグループ７への入力となる。
【００４１】
例えば、コンバイナ１０は、再送された同一信号部分ｓｎのそれぞれを、再送の信頼度を表す重み付け係数ｗｎと乗算して、重み付き信号部分ｗｎ＊ｓｎを生成するように構成されてもよく、これらのＮ個の重み付き同一信号部分ｗｎ＊ｓｎが合わせて加算されて、
【数１】
0006526802.tif 000002
で定められる結合信号部分Ｓが作成される。
【００４２】
重み付け係数ｗｎは、状況によって異なる場合がある。例えば、ｓ３の最後の再送は、更新されたアルゴリズム（複数可）がすでに収束しているためにｓ１の初期の再送よりも信頼性が高いことがある。
【００４３】
この方法の第３のステップにおいて、送信機２および受信機３は、信号データレート変更が完了したとき（時刻ｔ３）に、移行段階の終了を通知される。ｔ３でのこの通知の送信は、ローカルコントローラによって、または制御プレーンによって直接、トリガされる。
【００４４】
この通知は、専用メッセージまたは、別の目的に使用されるメッセージを使用して、特に、安定したＢＥＲ性能を送信機２および受信機３に通知するために送信されてもよく、よって、第１の装置４および第２の装置５を非アクティブ化させることができる。
【００４５】
送信機２および受信機３に移行段階の終了が（ｔ３で）通知された後には、それぞれのＤＳＰソフトウェアブロックが完全に更新されており、したがって、最終的な（第２の）データレートＲ２（第１の（初期の）データレートＲ１より大きくても小さくてもよい）で信号の送信または受信を行う準備が整っている。
【００４６】
単一の補助データレートＲａに関連するデータレート変更の２つの例が、図２および３のグラフに示されている。
【００４７】
図２のグラフは、信号データレート変更が、時刻ｔ２とｔ３（Ｔ１＝ｔ３−ｔ２）の間に発生する移行段階の間に第１のデータレートＲ１を第１のデータレートＲ１より大きい第２のデータレートＲ２（すなわちＲ２＞Ｒ１）に置き換えることからなる、非限定的な事例に対応する。この事例では、補助データレートＲａは、第１のデータレートＲ１と第２のデータレートＲ２の間にある（ただし、そのような選択は必須ではない）。ｔ３の後に移行段階が完了し、よって、第２のデータレートＲ２が保証される。
【００４８】
前述した例では、（着信フローをトランシーバ１に配信する）ＩＰルータまたはＯＴＮスイッチが１つのデータレートから別のデータレートへ切り替わる必要のある回数を減らすために、補助データレートＲａが第１のデータレートＲ１と等しくてもよいことに留意することが重要である。
【００４９】
図３のグラフは、信号データレート変更が、時刻ｔ２とｔ３（Ｔ１＝ｔ３−ｔ２）の間に発生する移行段階の間に第１のデータレートＲ１を第１のデータレートＲ１より小さい第２のデータレートＲ２（すなわちＲ２＜Ｒ１）に置き換えることからなる事例に対応する。この事例では、補助データレートＲａは、第２のデータレートＲ２より小さい（その理由は、移行期間の間、長さＬのＮ回の再送があるからである）。ｔ３の後に移行段階が完了し、よって、第２のデータレートＲ２が保証される。図３の例では、時刻ｔ２とｔ１の間の時間差は、第１の保護期間δおよび第２の保護期間Δを含み、第２の保護期間は、期間Δ＋Ｔ２の間に低い方のデータレートＲ２以上の平均データレートを維持するために第２のデータレートＲ２でデータを送信することが望まれる場合に対応する（期間［ｔ１，ｔ３］の間にＲ２を超える（またはＲ２に等しい）平均データレートを希望する場合は、そのデータレートを確保するために、最も高いデータレートＲ１で、さらなる時間（Δ）の間、送信を行うこともできる）。第２の保護期間Δはゼロに等しいか、ゼロに非常に近くてもよいことに留意することが重要である。
【００５０】
これらの２つの例では、データレート変更に関連する補助データレートＲａは、ただ１つである。しかし、別の形のデータレート変更には、少なくとも２つの補助データレートＲａｊが関連することもできる。この場合、第２のステップの間、移行段階はｊ個（ｊは２以上）の連続する副段階ＳＰｊに分けられる。各副段階ＳＰｊの間、送信機２は信号を、Ｎｊ≧１としてＮｊ回、選択された長さＬｊを有する信号部分ｓｎｊで再送し、受信機３は、再送されて連続的に受信されたＮｊ個の同一信号部分ｓｎｊを格納し、それらを互いに結合して結合信号部分Ｓｊを作成し、この結合信号部分Ｓｊを、Ｎｊおよび信号部分の長さＬｊに応じた補助データレートＲｊで一時的に出力する。ＲａｊはＲａｊ−１より大きくてもよいし、Ｒａｊ−１より小さくてもよい（特に、第１の副段階ＳＰ１の間のＢＥＲが劣悪すぎる場合）。
【００５１】
２つの補助データレートＲａ１およびＲａ２に関連するデータレート変更の２つの例が図４および５のグラフに示されている。
【００５２】
図４のグラフは、信号データレート変更が、時刻ｔ２とｔ３の間に発生する移行段階の間に第１のデータレートＲ１を第１のデータレートＲ１より大きい第２のデータレートＲ２（すなわちＲ２＞Ｒ１）に置き換えることからなる、非限定的な事例に対応する。この事例では、時刻ｔ２とｔ２’の間（Ｔ３＝ｔ２’−ｔ２）に発生する第１の副段階ＳＰ１の間に第１の補助データレートＲａ１が使用され、時刻ｔ２’とｔ３の間（Ｔ４＝ｔ３−ｔ２’）に発生する第２の副段階ＳＰ２の間に第２の補助データレートＲａ２（Ｒａ１より大きい）が使用される。この非限定的な事例では、第１の補助データレートＲａ１は、第１のデータレートＲ１より小さい（ただし、そのような選択は必須ではない）。この非限定的な事例ではさらに、第２の補助データレートＲａ２は、第１のデータレートＲ１と第２のデータレートＲ２の間にある（ただし、そのような選択は必須ではない）。ｔ３の後に移行段階が完了し、よって、第２のデータレートＲ２が保証される。
【００５３】
図５のグラフは、信号データレート変更が、時刻ｔ２とｔ３の間に発生する移行段階の間に第１のデータレートＲ１を第１のデータレートＲ１より小さい第２のデータレートＲ２（すなわちＲ２＜Ｒ１）に置き換えることからなる事例に対応する。この事例では、時刻ｔ２とｔ２’の間（Ｔ３＝ｔ２’−ｔ２）に発生する第１の副段階ＳＰ１の間に第１の補助データレートＲａ１が使用され、時刻ｔ２’とｔ３の間（Ｔ４＝ｔ３−ｔ２’）に発生する第２の副段階ＳＰ２の間に第２の補助データレートＲａ２（Ｒａ１より大きい）が使用される。第１の補助データレートＲａ１および第２の補助データレートＲａ２は、第２のデータレートＲ２より小さい（その理由は、移行期間の間に長さＬのＮ回の再送があるからである）。再送の回数Ｎｊおよび／または再送される同一の信号部分ｓｎｊの長さＬｊを変化させることによって、異なる補助データレートＲａｊが得られる。ｔ３の後に移行段階が完了し、よって、第２のデータレートＲ２が保証される。
【００５４】
本発明により、トランシーバが、トラフィックを中断させることなく、かつ、トラフィックを追加のトランシーバ装置を通して再ルーティングする必要もなく、１つのデータレートから別のデータレートに切り換えることが可能になる。これにより、達成可能な最大容量を常時提供するために低マージンの無瞬断トランシーバを設計することが可能になる。
【００５５】
図に示される様々な要素の機能は、専用ハードウェアならびに、ソフトウェアを実行することのできるハードウェアを適切なソフトウェアと関連させて使用することを通して提供されてもよい。
【００５６】
本明細書のブロック線図がいずれも本発明の原理を具体化する説明的回路の概念図を表していることは当業者には理解されよう。
【００５７】
説明および図面は単に本発明の原理を説明するものである。よって、本明細書に明確に説明または図示されていないが本発明の原理を具体化し、その趣旨および範囲に含まれる様々な構成を当業者が考案できることが理解される。さらに、本明細書に記載されるすべての例は、主として、発明者が提案する本発明の原理および概念の理解において読者を助け、技術を促進するための教示のみを明確に意図しており、そのような具体的に記載された例および条件に限定されないと見なされる。加えて、本発明の原理、態様および実施形態を記載する、本明細書のすべての記述は、それらの具体例とならび、それらの均等物を含むように意図されている。
【図１】
0006526802.tif 000003
【図２】
0006526802.tif 000004
【図３】
0006526802.tif 000005
【図４】
0006526802.tif 000006
【図５】
0006526802.tif 000007